(57)【要約】  吸入装置および吸入器具。吸入装置は、ユーザーによって装置を介して取り込まれ、吸引される吸入剤を発生させる吸入剤発生部品を保持するためのものである。該装置は、吸入剤発生部品を収容するように構成された第１開口端部およびユーザーが吸入剤発生部品からの吸入剤を吸い込む第１端部と流体連通した第２開口端部を有する胴体を有する。この胴体は、感覚刺激性材を有し、装置を介して引き込まれる吸入剤の流れに感覚刺激性添加剤を選択的に添加するまたは添加しないようにする風味供給部品を収容するように構成されている。また該吸入装置は、使用時に吸入剤が装置を介して引き込まれる際に選択的に異なる量の周囲空気が吸入剤の流れと混ざり、これを希釈するように構成された換気調整機構を含む。
2016509879.tif 000002
【特許請求の範囲】
【請求項１】
吸入装置であって、この装置は、装置を介して引き込まれ、ユーザーによって吸い込まれる吸入剤を発生させる吸入剤発生部品を保持するように構成され、吸入剤発生部品を収容するように構成された第１開口端部およびユーザーが吸入剤発生部品からの吸入剤を吸い込む第１端部と流体連通した第２開口端部を有する胴体を含み、この胴体は、感覚刺激性材を有し、装置を介して引き込まれる吸入剤の流れに感覚刺激性添加剤を選択的に添加するまたは添加しないようにする風味供給部品を収容するように構成され、吸入装置は、使用時に吸入剤が装置を介して引き込まれる際に選択的に異なる量の周囲空気が吸入剤の流れと混ざり、これを希釈するように構成された換気調整機構を含む吸入装置。
【請求項２】
前記換気調整機構は、吸入剤の流れが喫煙装置を介して引き込まれる際に吸入剤発生部品からの吸入剤の流れに周囲空気が導入されない閉じた位置と、異なる量の周囲空気が吸入剤の流れに導入される複数の開口位置との間で機能することを特徴とする請求項１記載の吸入装置。
【請求項３】
前記胴体の第２端部は、風味供給部品を収容するように構成されていることを特徴とする請求項１または２記載の吸入装置。
【請求項４】
さらに風味供給機構を含み、この供給機構は、吸入装置の胴体に接続される風味供給部品を含むことを特徴とする請求項１乃至３いずれか１項記載の吸入装置。
【請求項５】
前記風味供給部品はマウスピースを含むことを特徴とする請求項４記載の吸入装置。
【請求項６】
前記風味供給部品は前記胴体の第２端部に接続されていることを特徴とする請求項５記載の吸入装置。
【請求項７】
前記風味供給機構は、感覚刺激性添加剤が吸入剤の流れに導入される第１の位置と感覚刺激性添加剤を吸入剤の流れに導入されないようにする第２の位置との間で切り替え可能であることを特徴とする請求項６記載の吸入装置。
【請求項８】
吸入剤の流れは、前記風味供給機構が第２の位置にあるとき、感覚刺激性材を迂回することを特徴とする請求項７記載の吸入装置。
【請求項９】
前記風味供給機構は前記コントローラー本体に対して回転自在なアクチュエーターを含むことを特徴とする請求項６または７記載の吸入装置。
【請求項１０】
前記風味供給部品は前記アクチュエーターを含むことを特徴とする請求項９記載の吸入装置。
【請求項１１】
風味供給部品は、前記胴体に取り外し自在に取り付けられることを特徴とする請求項６乃至１０いずれか１項記載の吸入装置。
【請求項１２】
前記換気調整機構は、風味調整機構から独立して調整可能であることを特徴とする請求項６乃至１１いずれか１項記載の吸入装置。
【請求項１３】
前記風味調整機構の上流に配されたチャコールフィルターエレメントをさらに含むことを特徴とする請求項６乃至１２いずれか１項記載の吸入装置。
【請求項１４】
前記風味供給部品とコントローラー本体の一方は、凹状のトラックを含み、もう一方は、トラックに収容され、風味供給部品をコントローラー本体に保持するピンを含むことを特徴とする請求項６乃至１３いずれか１項記載の吸入装置。
【請求項１５】
前記トラックは、風味供給部品の安定した回転位置を画定するために第１および第２の位置に対応するピンが位置する戻り止めを含むことを特徴とする請求項１４記載の吸入装置。
【請求項１６】
吸入装置から吸入剤発生部品を取り出すように構成された取り出し機構をさらに含むことを特徴とする請求項１乃至１５いずれか１項記載の吸入装置。
【請求項１７】
前記取り出し機構は、装置に保持された吸入剤発生部品に長手方向の力が加えられることによって作動することを特徴とする請求項１６記載の吸入装置。
【請求項１８】
前記取り出し機構は装置から吸入剤発生部品を取り出すためのバネを含むことを特徴とする請求項１６または１７記載の吸入装置。
【請求項１９】
コントローラー本体の第１端部に収容される吸入剤発生部品をさらに含むことを特徴とする請求項１乃至１８いずれか１項記載の吸入装置を含む吸入器具。
【請求項２０】
吸入装置を介して喫煙され、その後装置から外され、廃棄される可燃性タバコロッドまたは他の喫煙材ロッドを保持するように構成されている喫煙器具を含むことを特徴とする請求項１乃至１９いずれか１項記載の吸入装置。
【請求項２１】
タバコを含む蒸気発生部品とタバコ加熱をして吸入蒸気を発生させる発熱器を収容するように構成されていることを特徴とする請求項１乃至１９いずれか１項記載の吸入装置。
【請求項２２】
液体容器を含む蒸気発生部品および液体を加熱して吸入蒸気を発生させる発熱器を収容するように構成されていることを特徴とする請求項１乃至１９いずれか１項記載の吸入装置。
【請求項２３】
モジュラー式吸入器具であって、この器具は交換可能な吸入剤発生部品を収容するための再利用可能なホルダーを含み、このホルダーは、第１開口端部を有する胴体、第１開口端部に取り外し自在に取り付けられるマウスピースおよび胴体の第２開口端部に取り外し自在に収容される吸入剤発生部品を含み、この器具は、吸入剤の流れが吸入剤発生部品からマウスピースの外へと吸引される際に吸入剤の流れに選択的に感覚刺激性添加剤を導入するまたは導入しないように構成可能な交換可能な風味添加剤エレメントを含み、マウスピースは、交換可能な風味添加剤エレメントを含むモジュラー式吸入器具。
【発明の詳細な説明】
【技術分野】
【０００１】
本明細書では吸入剤発生部品と共に使用される吸入装置を含む複数の部品からなる吸入器具ついて説明され、この器具では追加の換気空気流および／または風味剤が提供される。
【背景技術】
【０００２】
吸入装置は知られており、電子紙巻きタバコなどのユーザーが吸入するための蒸気を発生させる手段および原料物質を加熱することによりユーザーが吸入するための蒸気またはエアロゾルを発生させるエアロゾル発生装置を含む種々の構造を含む。また紙巻きタバコを収容するように構成された胴体を含むシガレットホルダーも知られており、これを介して紙巻きタバコを吸ってもよい。このような装置は、１つ以上の換気開口部を含んでもよく、これにより吸入装置内の周囲空気を吸入装置を介して引き込まれる気体、蒸気、エアロゾルまたは煙流と混ざるようにする。
【発明の概要】
【課題を解決するための手段】
【０００３】
本明細書では吸入装置の実施態様について説明され、この装置は、装置を介して引き込まれ、ユーザーによって吸い込まれる吸入剤を発生させる吸入剤発生部品を保持するように構成され、吸入剤発生部品を収容するように構成された第１開口端部およびユーザーが吸入剤発生部品からの吸入剤を吸い込む第１端部と流体連通した第２開口端部を有する胴体を含み、この胴体は、感覚刺激性材を有し、装置を介して引き込まれる吸入剤の流れに感覚刺激性添加剤を選択的に添加するまたは添加しないようにする風味供給部品を収容するように構成され、吸入装置は、使用時に吸入剤が装置を介して引き込まれる際に選択的に異なる量の周囲空気が吸入剤の流れと混ざり、これを希釈するように構成された換気調整機構を含む。
【０００４】
換気調整機構は、吸入剤の流れが喫煙装置を介して引き込まれる際に吸入剤発生部品からの吸入剤の流れに周囲空気が導入されない閉じた位置と異なる量の周囲空気が吸入剤の流れに導入される複数の開口位置との間で機能するようにしてもよい。
【０００５】
胴体の第２端部は、風味供給部品を収容するように構成してもよい。
【０００６】
本明細書では上述の装置のような吸入装置の胴体への接続するように構成された風味供給部品の実施態様について説明され、この風味供給部品は感覚刺激性材を含む。風味供給部品はマウスピースを含んでもよい。
【０００７】
本明細書では吸入装置の胴体に接続される上述のような風味供給部品を含む風味供給機構を有する上述のような吸入装置について説明されている。
【０００８】
風味供給部品は胴体の第２端部に接続してもよい。
【０００９】
風味供給機構は、感覚刺激性添加剤が吸入剤の流れに導入される第１の位置と感覚刺激性添加剤を吸入剤の流れに導入されないようにする第２の位置との間で切り替え可能であってもよい。
【００１０】
吸入剤の流れは、風味供給機構が第２の位置にあるとき感覚刺激性材を迂回してもよい。
【００１１】
風味供給機構はコントローラー本体に対して回転自在なアクチュエーターを含んでもよい。風味供給部品はアクチュエーターを含んでもよい。
【００１２】
風味供給部品は、前記胴体に取り外し自在に取り付けられてもよい。
【００１３】
換気調整機構は、風味調整機構から独立して調整可能であってもよい。
【００１４】
吸入装置は、風味調整機構の上流に配されたチャコールフィルターエレメントをさらに含んでもよい。
【００１５】
風味供給部品とコントローラー本体の一方は、凹状のトラックを含んでもよく、もう一方は、トラックに収容され、風味供給部品をコントローラー本体に保持するピンを含んでもよい。
【００１６】
トラックは、風味供給部品の安定した回転位置を画定するために第１および第２の位置に対応するピンが位置する戻り止めを含んでもよい。
【００１７】
吸入装置は装置から吸入剤発生部品を取り出すように構成された取り出し機構をさらに含んでもよい。
【００１８】
取り出し機構は、装置に保持された吸入剤発生部品に長手方向の力が加えられることによって作動してもよい。
【００１９】
取り出し機構は装置から吸入剤発生部品を取り出すためのバネを含んでもよい。
【００２０】
吸入装置は、喫煙器具を含んでもよく、これは装置を介して喫煙され、その後装置から外され、廃棄される可燃性タバコロッドまたは他の喫煙材ロッドを保持するように構成されている。吸入剤発生部品は可燃性タバコロッドまたは喫煙材ロッドを含んでもよい。喫煙装置は、コントローラー本体の第１端部に取り外し自在に収容される喫煙材ロッドをさらに含んでもよい。
【００２１】
喫煙材ロッドは、円筒状であってもよく、第１の直径の第１セクションおよび第１の直径より小さい第２の直径の第２セクションを含んでもよく、第２セクションは、喫煙装置の第１端部に収容される。
【００２２】
喫煙材ロッドは、外方スリーブを含んでもよく、その長さの一部に沿って第１の直径の第１セクションと第１および第２セクションの間に段を画定する。
【００２３】
これとは別に吸入装置は、タバコを含む蒸気発生部品とタバコ加熱をして吸入蒸気を発生させる発熱器を収容するように構成してもよい。
【００２４】
さらにこれとは別に吸入装置は、液体容器を含む蒸気発生部品および液体を加熱して吸入蒸気を発生させる発熱器を収容するように構成してもよい。
【００２５】
上述の吸入装置は、上述の吸入剤発生部品と一体に形成してもよく、吸入剤発生部品を取り外し自在に収容するように構成してもよい。
【００２６】
本明細書ではモジュラー式吸入器具の実施態様について説明され、この器具は交換可能な吸入剤発生部品を収容するための再利用可能なホルダーを含み、このホルダーは、第１開口端部を有する胴体、第１開口端部に取り外し自在に取り付けられるマウスピースおよび胴体の第２開口端部に取り外し自在に収容される吸入剤発生部品を含み、この器具は、吸入剤の流れが吸入剤発生部品からマウスピースの外へと吸引される際に吸入剤の流れに選択的に感覚刺激性添加剤を導入するまたは導入しないように構成可能な交換可能な風味添加剤エレメントを含み、マウスピースは、交換可能な風味添加剤エレメントを含む。
【図面の簡単な説明】
【００２７】
あくまで例示を目的として添付図面を参照し、喫煙装置の実施態様を説明する。
【図１】第１の実施態様の吸入装置の側面図である。
【図２】図１の吸入装置の端面図である。
【図３】図２のＸ−Ｘ線に沿った断面図である。
【図４】図１の吸入装置の分解斜視図である。
【図５】タバコロッドが外されている図２のＸ−Ｘ線に沿った断面斜視図である。
【図６】図１の吸入装置の換気調整スリーブの斜視図である。
【図７】図１の吸入装置の円筒状ハウジングの斜視図である。
【図８Ａ】第１換気レベル構造の図１の吸入装置のＹ−Ｙ線に沿った側面図および断面図である。
【図８Ｂ】第２換気レベル構造の図１の吸入装置のＹ−Ｙ線に沿った面図および断面図である。
【図８Ｃ】第３換気レベル構造の図１の吸入装置のＹ−Ｙ線に沿った面図および断面図である。
【図９】図１の吸入装置のマウスピースおよびカラーの分解斜視図である。
【図１０】図１の吸入装置のマウスピースの後方斜視図である。
【図１１】図１の吸入装置のカラーの前方斜視図である。
【図１２】図１１のカラーの後方斜視図である。
【図１３】「風味付けＯＮ」の位置にある図１の吸入装置のカラーおよびマウスピースの後方斜視図であり、それを通る吸入剤の流れ経路を示している。
【図１４】「風味付けＯＮ」の位置にある図１の吸入装置のカラーおよびマウスピースの前方斜視図であり、それを通る吸入剤の流れ経路を示し、判りやすくするためにマウスピースを透明で示している。
【図１５】図１の吸入装置のカラーのカム溝の略式二次元図である。
【図１６Ａ】マウスピースが「風味付けＯＦＦ」および「風味付けＯＮ」の位置の間を回転する図１の喫煙装置の連続的な斜視図である。
【図１６Ｂ】マウスピースが「風味付けＯＦＦ」および「風味付けＯＮ」の位置の間を回転する図１の喫煙装置の連続的な斜視図である。
【図１７】図１の吸入装置と共に使用する燃焼性タバコロッドの斜視図である。
【図１８】第２の実施態様の吸入装置の斜視図である。
【図１９】図１８の吸入装置の分解図である。
【図２０】「風味付けＯＦＦ」の位置にある第３の実施態様の吸入装置の調整機構の端面図である。
【図２１】「風味付けＯＮ」の位置にある図２０の調整機構の端面図である。
【図２２】図２０および２１の調整機構の部品の端面図である。
【図２３】図２１の調整機構の一部を破断して示した斜視図である。
【図２４】第４の実施態様のマウスピースおよびカラーの断面図である。
【図２５】第５の実施態様の吸入装置の斜視図である。
【図２６】図２５のＺ−Ｚ線に沿った吸入装置の側部断面図である。
【図２７】第１の位置にある図２５の吸入装置の一部の切り欠き図である。
【図２８】第２の位置にある図２５の吸入装置の一部の切り欠き図である。
【図２９】第６の実施態様の吸入装置の斜視図である。
【図３０】図２９の吸入装置の吸入剤発生ユニットの断面図である。
【図３１】第７の実施態様の吸入装置の斜視図である。
【図３２】図３１の吸入装置の吸入剤発生ユニットの断面図である。
【発明を実施するための形態】
【００２８】
図１〜８を参照すると、この第１の例示的実施態様において喫煙装置１０である吸入装置の第１の実施態様は、コントローラー本体１１とマウスピース１２とを含む。コントローラー本体１１は第１（吸い口）端部１１ａとこれに対向する第２（ロッド）端部１１ｂを含む。第１および第２端部１１ａ、１１ｂは、開口しており、互いに流体連通している。可燃性タバコロッド１３は、コントローラー本体１１の第２端部１１ｂの開口部に収容可能である。
【００２９】
使用の際、タバコロッド１３はコントローラー本体１１の第２端部１１ｂ内に挿入され、着火される。ユーザーはマウスピース１２を介して吸入し、タバコロッド１３が燃焼するとタバコロッド１３を通って、コントローラー本体１１を介してマウスピース１２から煙が吸い込まれる。ユーザーが喫煙を終えると、燃焼したタバコロッド１３の残りの部分は、廃棄され、新しいタバコロッド１３が装置１０を使用する度に挿入される。
【００３０】
コントローラー本体１１は、装置１０の繰り返し使用される部品であり、複数のタバコロッド１３の喫煙に使用することができる。またマウスピース１２も繰り返し使用される部品であるが、必要に応じてコントローラー本体１１から取り外して、新しいマウスピース１２と交換することも可能である。
【００３１】
コントローラー本体１１は、使用済みタバコロッドを取り出すように構成された取り出し機構を含む。取り出し機構は、「もみ消し」動作、即ち図１の矢印「Ａ」で示すようにコントローラー本体１１およびタバコロッドの長手方向にマウスピース１２の方へと力をタバコロッド１３に加えることによって作動する。
【００３２】
コントローラー本体１１は、ほぼ円筒状のハウジング１４を含み、ハウジングはそれに回転式に取り付けられた換気調整スリーブ１５およびカラー３８を含む。取り出し管１６が換気調整スリーブ１５内にスライド式に装着されている。円筒状ハウジング１４は、タバコロッド端部に第１部分１４ａをそして第１部分１４ａから延びた吸い口端に第１部分より直径の小さい第２部分１４ｂを含む。第１部分１４ａは、円筒状ハウジング１４の中心軸に対して直交する面に位置する環状壁１７で第２の部分１４ｂへと遷移する。カラー３８は、円筒状ハウジング１４の第２部分１４ｂに取り付けられ、マウスピース１２はカラー３８に取り付けられる。
【００３３】
コイルバネ１８が円筒状ハウジング１４内に配置されており、換気調整スリーブ（以下により詳しく説明する）の内方に延びたフランジ３２に当接する第１端部および取り出し管１６の端部に当接する対向端部を有する。バネ１８は、取り出し管１６を環状壁１７から離れる方向に付勢する。
【００３４】
取り出し管１６は、その外面に矩形の隆起したボス部１９を含み、これはその中に形成された凹状のカムトラック２０を有する。換気調整スリーブ１５は、取り出し管１６の突出したボス部１９を収容するために外壁２２からの切り欠きセクション２１を含む。切り欠きセクション２１は、取り出し管１６をボス部１９の両端と切り欠きセクション２１の対応する縁部が当接することによって制限される所定の移動範囲内でスライドさせ、かつ、円筒状ハウジング１４内で換気調整スリーブ１５を回転させるように構成されている。取り出し管１６は、取り出し管１６の端部１６ａが換気調整スリーブ１５の端面１５ａと面一に位置する保持位置（図１および３に示すように）と取り出し管１６の端部１６ａが換気調整スリーブ１５の端面１５ａを越えて突出する取り出し位置との間で可動である。
【００３５】
円筒状ハウジング１４は取り出し管１６のボス部１９と位置合わせされる窓２３を含む。弾性バネ状腕部２４が円筒状ハウジング１４の外側に位置し、９０度曲げられた第１端部２４ａを有し、これは窓２３を通って延び、ボス部１９の凹状カムトラック２０に位置し、カムの従動節として機能する。バネ状腕部２４の反対側の端部２４ｂは、窓２３を覆うために円筒状ハウジング１４に固定されたカバープレート２５に取り付けられている。バネ状腕部２４は、カムの従動節２４ａが円筒状ハウジング１４に対して横方向に移動できるが、弾性付勢によって中間位置に戻るように構成されている。ボス部１９のカムトラック２０は、閉じたループであり、その中をカムの従動節２４ａが移動し、取り出し管１６の保持および取り出し位置並びにその間の移動を画定する。換気調整スリーブ１５の切り欠きセクション２１が取り出し管１６の長手方向の移動を制限するために必要とされるものより大きい実施態様では、ボス部１９の凹状カムトラック２０に位置するバネ状腕部２４の第１端部２４ａは、取り出し管１６の長手方向の移動を制限するように作用可能である。
【００３６】
円筒状ハウジング１４の環状壁１７は、図５および７に示すように複数の換気穴２８を含む。換気流路２９が円筒状ハウジング１４の第２部分１４ｂに形成され、換気穴２８から円筒状ハウジング１４の第２部分１４ｂの端部へと延びている。また円筒状ハウジング１４は、図３に示すように第１部分１４ａの外壁に形成された複数の空気取り込みスロット３０を含む。
【００３７】
スペース２７がタバコロッド１３の外側の周囲で円筒状ハウジング１４の第１部分１４ａ内に形成されている。この換気スペース２７は、空気取り込みスロット３０を介して外気に開口しており、環状壁１７の換気穴２８は、換気スペース２７に開口している。
【００３８】
換気調整スリーブ１５は、その一端に縦方向に溝のあるグリップ３１をそしてその反対の端部に内方に延びたフランジ３２を含む。フランジ３２は、換気調整スリーブ１５のその反対側の端部の全周を延びてなく、代わりに開口セクション３３を含み、これは換気調整スリーブ１５の側壁２１の対応する凹部３４に隣接する。フランジ３２は、環状壁１７と当接し、換気穴２８の１つ以上を塞ぐように構成され、または換気調整スリーブ１５は、開口セクション３３が換気穴２８と位置合わせされ、換気孔が換気スペース２７に開口するように回転させてもよい。ガスケット５２（図４参照）をフランジ３２と環状壁１７との間に配置してその間を確実に封止固定し、換気調整スリーブ１５が適切に位置決めされた際に換気穴２８を確実に効果的に封鎖してもよい。ガスケット５２を図示し、説明したが、これを省略して、フランジ３２が環状壁１７に対して密閉してもよく、またはワッシャー、他の追加のフランジまたはフランジ３２に密閉コーティングするなどの他の密閉手段を使用して、換気穴２８を効果的に封鎖してもよい。
【００３９】
換気調整スリーブ１５は、縦方向に溝のあるグリップ３１に隣接する側壁２１の円周の一部にスロット３５を含み、これは円筒状ハウジング１４の壁を通る係止ポスト３６の端部を収容する。係止ポスト３６は、換気調整スリーブ１５が円筒状ハウジング１４からスライドして外れるのを防ぐが、スロット３５の長さによって定められた移動範囲に亘って換気調整スリーブ１５を回転させることができる。スロットは、換気調整スリーブ１５の安定した回転位置を画定する戻り止め３７を含む。
【００４０】
カラー３８は、カラー３８と円筒状ハウジング１４の環状壁１７の外側との間に配置されるＯリングシール３９で円筒状ハウジング１４の第２部分１４ｂの周囲に固定される中空の円筒状部品である。カラー３８は、円筒状ハウジング１４の第２部分１４ｂの周溝４１に位置する一組の保持ピン４０によって所定の位置に固定される。
【００４１】
円筒状ハウジング１４から離れているカラー３８の端部は、これより直径の小さい突出部分４２を含み、これはその周囲面の１つのセクションの周囲に形成されたカム溝４３を有する。マウスピース１２は、マウスピース壁を通って延び、カム溝４３に位置するカムピン４４およびマウスピース壁を通って延び、カム溝３０とは別個の突出部分２９の溝３３に位置する組み立てピン５３によって突出部分４２の周囲でカラー３８に接続されている。必要であれば、Ｏリング４５をマウスピース１２とカラー３８の間に配置してその間を気密密閉してもよい。
【００４２】
マウスピース１２は、図１６Ａおよび１６Ｂに示すように風味付け「ＯＦＦ」および「ＯＮ」の位置の間でカラー３８に対して回転可能である。回転の範囲は、マウスピース１２が回転する際にカムピン４４が移動するカム溝４３の長さによって決まる。カム溝４３を図１１および図１５に略式に示し、これは「ＯＦＦ」の位置である戻り止め４３ａおよび「ＯＮ」の位置である戻り止め４３ｂを含み、これらは対応する風味付けＯＮ／ＯＦＦ位置にカラー３８に対してマウスピース１２の位置を安定させる。各戻り止め４３ａ、４３ｂは、突出部分４２の端面４２ａからカム溝４３の残りの部分より僅かに離れて配されており、マウスピース１２は、ＯＮ／ＯＦＦ位置の間で回転する際に、カムピン４４が戻り止め４３ａ、４３ｂ位置するときにカムピン４４がカム溝４３の残りの部分に位置するときよりカラー３８にしっかりと嵌る。これによりＯＮ／ＯＦＦ位置でマウスピース１２およびカラー３８間でしっかりとした封止を行うことができる。また戻り止め４３ａ、４３ｂは、マウスピース１２が正しく所望の位置に位置したという触覚的フィードバックをユーザーに提供する。またカム溝４３は、カラー３８の突出部４２の隣接する端面４２ａに延びている入り口部分４３ｃを含み、マウスピース１２をカラー３８に取り付ける、およびカラーから外す際にカムピン４４の端部を受けるようになっている。
【００４３】
カラー３８は中空であり、その中を煙が通過し、カラー３８を通る経路は、端面４２ａのその上部にある四分円状の開口部５６に出口を有する。端面４２ａの下方部分は、半円形であり、カラー３８を通る経路から離れた凹部５７を含む。凹部５７は盲空洞であり、即ち底部が閉じており、端面４２ａのみで開口している。
【００４４】
マウスピース１２が図９および１０により具体的に示されており、ユーザーによって吸引される煙が通る第１開口端部５８とカラー３８の突出部分４２を収容する第２開口端部５９とを含む。経路６０が第１および第２開口端部５８、５９と連通している。経路６０は第１開口端部５８から第２開口端部５９へと狭くなっており、第２開口端部５９で経路６０の開口部が半円形である。マウスピースの第２開口端部５９は、経路６０から離れた凹部６１を含む。凹部６１は盲空洞であり、即ち一端のみに開口部を含み、反対側の端部は端壁６２によって閉じられている。
【００４５】
感覚刺激材体６３が凹部６１に配され、煙流が感覚刺激材体６３の表面領域上を通過すると、煙に風味を与える。感覚刺激材体６３は、それを通るキャビティー６４を含む。感覚刺激材体６３は風味剤を含む材料マトリックス、例えばメンソール風味剤を染みこませたセルロースアセテートを含んでもよい。これとは別に感覚刺激材体６３は風味剤または他の感覚刺激性化合物が染みこんだ別の固体材料を含んでもよい。染みこませた風味剤は、粒状材によって煙流、または感覚刺激材６３から蒸発するまたは浸出する気体に同伴させてもよい。
【００４６】
チェンバー２６が、タバコロッド１３を介して引き込まれる際に煙が流れ込む円筒状ハウジング１４の第２部分１４ｂの端部に隣接してカラー３８内に画定されている。さらに換気穴２８から延びた換気流路２９がチェンバー２６内に開口している。従って、使用の際チェンバー２６はタバコロッド１３を介して引き込まれる煙および換気孔/流路２８/２９を介して導入される換気空気用の混合チェンバーとして作用する。
【００４７】
喫煙装置１０と共に使用される可燃性タバコロッド１３が図１７に示されており、ラッパー４８に含まれるタバコなどの喫煙材４６からなる筒とフィルター材プラグ４７とを含む。複数の換気穴４９がフィルター材４７を囲む部分で包まれた円筒の外面に形成され、換気空気の流れが換気スペース２７からラッパー４８を通ってフィルター４７内を通過し、使用の際引き込まれる煙と混ざるようになっている。タバコロッド１３は、外方スリーブ５０を含み、これは巻かれたタバコ筒の長さの一部に亘って延び、フィルター端部までは延びず、円周方向に延びた段５１を設けている。
【００４８】
使用の際、取り出し管１６が延伸した取り出し位置にある状態で、ユーザーはフィルター端部が換気調整スリーブ１５および取り出し管１６内を延びるようにタバコロッド１３をコントローラー本体１１内に挿入する。タバコロッド１３がコントローラー本体１１内に挿入されると、段５１が取り出し管１６の端部と当接し、取り出し管をバネ１８の力に抗して換気調整スリーブ１５内に押し込み、取り出し機構が取り出し管１６を保持位置に維持する。タバコロッド１３のフィルター端部は、円筒状ハウジング１４の第２部分１４ｂの貫通孔５４内でしばり摩擦式嵌合し、これにより所定の位置に保持される。この摩擦式嵌合は、タバコロッド１３の面と円筒状ハウジング１４の第２部分１４ｂの貫通孔５４の内面との間で実質的にあらゆる空気の流れを妨げる封止となる。タバコロッド１３のフィルター端部が円筒状ハウジング１４の第２部分１４ｂ内に収容される長さを図３の寸法「ｄ」として示す。
【００４９】
ユーザーは、タバコロッド１３を喫煙している間、煙流と混ぜられる換気空気の量を変えることができる。この可変換気空気は、迂回換気と言われる、というのは換気空気は、タバコロッド１３を迂回し、煙がタバコロッド１３のフィルター端部から出る所の下流で煙流内に導入されるからである。図８Ａ〜８Ｃを参照すると、換気調整スリーブ１５は３つの異なる換気位置間を移動する。これら３つの位置はスロット３５の戻り止め３７に対応し、換気調整スリーブ１５の安定した回転位置を画定する。図８Ａは、フランジ３２が環状壁１７の全ての換気穴２８を覆い、従って迂回換気空気が換気孔を通過しないようにする第１の位置にある換気調整スリーブ１５を示している。
【００５０】
図８Ｂは換気調整スリーブの開口セクション３３は環状壁１７の換気穴２８の１つと位置合わせされ、他の換気穴２８はフランジ３２で塞がれたままの第２の位置にある換気調整スリーブ１５を示している。従って、ユーザーがマウスピースを介して吸い込み、負圧が混合チェンバー２６に生じると、煙がタバコロッド１３を介して引き込まれるのと同様に空気が換気スペース２７からその１つの露出した換気穴２８および対応する換気流路２９を介して混合チェンバー２６内に引き込まれ、そこでタバコロッド１３を介して引き込まれる煙と混ざる。この追加の換気空気は、煙流を希釈し、従って迂回換気が行われない上述の状況と比較して、各吸入ごとに異なる喫煙の知覚経験を供する。
【００５１】
図８Ｃは換気調整スリーブの開口セクション３３が環状壁１７の複数の換気穴２８と位置合わせされている第３の位置にある換気調整スリーブ１５を示している。ユーザーがマウスピースから吸い込むと、空気が換気スペース２７から複数の露出した換気穴２８および対応する換気流路２９を介して混合チェンバー２６内に引き込まれ、そこでタバコロッド１３を介して引き込まれる煙と混ざる。図８Ｂに示した上述の状況を超える換気空気の流れの増加によって、さらに煙流が希釈され、各吸入ごとにさらに異なる喫煙の知覚経験をユーザーに供する。
【００５２】
当然のことながら上述の可変換気調整は、タバコロッド１３のフィルター端部に形成された換気穴４９によって供されるフィルター換気とは別に行われる。また３つの別個の換気位置のみを示し、説明したが、第１の実施態様はこのような構造に限定することを意図したものではなく、他の多くの換気位置を設けてもよい。さらに迂回換気は、不連続の換気設定の代わりに連続的に変化するようにしてもよい。例えば、弓形のスロットを不連続の換気開口部２８の代わりに環状壁１７に設けてもよく、スロットは換気調整スリーブ１５の回転によって露出し、または塞がれる。
【００５３】
使用の際、マウスピース１２はカラー３８に完全に押し込まれ、カムピン４４はカム溝４３の入り口部分４３ｃに入る。その後マウスピース１２は、カムピン４４がＯＦＦの戻り止め４３ａに位置するまで回転させる（図１６ａ参照）。喫煙装置１０の使用中、ユーザーは装置１０を通過する煙流に風味剤を添加するか否かの選択肢を有する。マウスピース１２がＯＦＦの位置にあるとき、カラー３８の四分円の開口部５６がマウスピース１２の第２開口端部５９で経路６０の半円形の開口端部と位置合わせされ、煙流がカラー３８から真っ直ぐにマウスピース１２の経路６０を通って、風味剤体６３と接触せずに通過し、第１開口端部５８から出る第１煙流路を喫煙装置１０内に画定する。
【００５４】
もしユーザーが風味付けされた煙を味わいたいなら、マウスピースをＯＮの位置に回転させる（図１６Ｂ参照）。カラー３８の四分円の開口部５６が風味剤体６３の凹部６４と部分的に重なる（図１３参照）。さらにカラー３８の半円形の凹部５７も風味剤体６３の凹部６４と部分的に重なり（図１４参照）、マウスピース１２の第２開口端部５９の経路６０の半円状の端部と部分的に重なる（図１４参照）。ユーザーがマウスピース１２を介して吸い込むと、煙が図１３および１４の矢印Ｓで示す喫煙装置１０内の第２の煙流路を介して引き込まれ、四分円の開口部５６を介して感覚刺激材体６３の凹部６４内に移動し、その中で煙が渦巻き、感覚刺激材体６３の表面を掃くように移動し、風味剤を捕捉する。煙流Ｓは凹部６４を出て、カラー３８の半円形の凹部５７内に入り、半円形の凹部５７から経路６０内に入り、第１開口端部５８を通ってマウスピースから出る。
【００５５】
感覚刺激性材体６３は所定の数のタバコロッド１３の喫煙に所望の風味を提供し、その後は廃棄され、交換される。これはマウスピース１２と感覚刺激材体６３を取り外し、新鮮な感覚刺激材体６３を有する新しいマウスピース１２と交換することによって行ってもよい。これとは別に感覚刺激材体６３をマウスピース１２から取り外して、ユーザーが廃棄された感覚刺激材体６３を同じマウスピース１２で新鮮なもの代えてもよい。後者の実施態様では、感覚刺激材体６３をマウスピース１２から取り外して交換しやすくするためにスリーブまたは他の外方ケース（図示せず）内に設けてもよい。前者の実施態様では感覚刺激材体６３を製造する工程としてマウスピースの凹部６１で形成してもよく、凹部内に配置してもよく、交換用のマウスピース１２に凹部６１の開口部を覆う密閉カバーを設けて、最初に使用する前に揮発性および／または芳香性化合物などのあらゆる感覚刺激性材が漏れないようにする。このようなカバーは、ユーザーが新しいマウスピース１２をカラー３８に接続する前に開口部上に接着された箔であってもよい。いずれの場合において、感覚刺激材体６３またはマウスピース１２のいずれの交換可能な部品は、喫煙装置１０のコントローラー本体１１とは別個に供給される複数の交換品用パッケージ、例えば各交換部品がそれ専用のポケットに封止されたマルチブリスターパックに入れて提供することも可能である。
【００５６】
カム溝４３の戻り止め４３ａ、４３ｂは、マウスピース１２がＯＮおよびＯＦＦの位置にあるとき、マウスピース１２とカラー３８の間で締まりばめされるように構成されている。ＯＦＦの位置にあるとき、これによりマウスピースの凹部６１とカラー３８の突出部分４２の端面４２ａの間で効果的に封止しやすくなり、揮発性および／または芳香性化合物などの感覚刺激性化合物の漏れを確実に防止する。
【００５７】
ユーザーが喫煙を終えると、タバコロッド１３を端部を押しつけることによって消すことができ、これにより取り出し管１６をバネ１８の力に抗して内方に押し込み、カムの従動節２４ａ／カムトラック２０が協働して、取り出し管１６を取り出し位置に移動させ、取り出し管１６がタバコロッド１３の段５１に当接すると、タバコロッド１３が押され、円筒状ハウジング１４の第２部分１４ｂの貫通孔５４との摩擦係合から外れ、従ってタバコロッド１３の残った燃えさしは、コントローラー本体１１から除去される。またバネ１８はタバコロッド１３に取り出すための力を与えて、確実にロッドがコントローラー本体１１から取り外される。しかしながら、タバコロッド１３が円筒状ハウジング１４の貫通孔５４との摩擦係合から自由になると、タバコロッド１３は重力によってコントローラー本体１１から自由に落下する。
【００５８】
円筒状ハウジング１４のタバコロッド１３の端部の摩擦式嵌合は、円筒状ハウジング１４の第２部分１４ｂの貫通孔５４がタバコロッド１３の端部の直径より小さいことによって供することができる。例えば、円筒状ハウジング１４の第２部分１４ｂの貫通孔５４の直径は、５．３ｍｍであり、タバコロッド１３の端部の直径は５．４ｍｍであってもよい。また効果的にタバコロッド１３を保持し、コントローラー本体１１から取り外すためにタバコロッド１３の先端が円筒状ハウジング１４の第２部分１４ｂ内に保持される軸方向の距離（図３で寸法「ｄ」で示す）は、取り出し管１６の保持位置および解除位置間の移動距離より短くなくてはならない。例えば、距離ｄは３ｍｍであり、保持および解除位置間の取り出し管１６の移動距離は４ｍｍであってもよい。
【００５９】
ある実施態様においてタバコロッド１３のフィルター端部は、その周囲に多数の換気穴４９を含み、これら換気孔によってタバコロッドをそれ自体では通常の紙巻きタバコとしては喫煙できないようになっている。というのは過剰なフィルター換気がタバコロッドを介して引き込まれるかなりの量の煙に対して、充分な空気がタバコロッドの長さを介して引き込まれるのを妨げるからである。しかしながら、タバコロッド１３が喫煙装置１０に挿入されると、多数の換気穴４９（タバコロッド１３の長さ「ｄ」に亘って）が円筒状ハウジング１４の第２部分１４ｂ内でのタバコロッド１３締まりばめによって塞がれる。これによりユーザーが吸入した際にタバコロッド１３の長さに沿ってより多くの空気が引き込まれ、許容され得る煙流を供することができる。本図面では必ずしも縮尺通りに示していないが、長さ「ｄ」はタバコロッド１３のフィルターの部分全体および可能であればタバコ部分の一部を覆うように大きくすることも可能であり、これによりタバコロッドの換気開口部４９の全てまたは多くがタバコロッドがコントローラー本体１１の貫通孔５４に収容された際に覆われ、確実にタバコロッド１３が喫煙装置の残りの部分無しに従来の紙巻きタバコとして喫煙できないようにしてもよい。
【００６０】
第２の実施態様の喫煙装置１１０を図１８および１９に示しているが、上述の第１の実施態様とほぼ同じである。従って同様の特徴を有するものには同じ参照符号を付してあり、ここでは詳しく説明しない。第２の実施態様の違いの１つは、換気調整スリーブ１１５の構造である。図１９に詳しく示すように第２の実施態様の換気調整スリーブ１１５は、第１の実施態様の換気調整スリーブ１５のように内方フランジ３２と一体に形成されていない。第２の実施態様の換気調整スリーブ１１５は、中空の円筒状胴体を含み、その側壁にスロット１１５ａが形成されている。
【００６１】
調整リング１１７がハウジング１４の第１部分１４ａ内に回転式に取り付けられ、調整リング１１７の周囲のセクションから軸方向に延びたプレート１１８を含む。プレート１１８が換気調整スリーブ１１５のスロット１１５ａ内に収容され、換気調整スリーブ１１５の回転によって調整リング１１７が回転する。調整リング１１７はハウジング１４の環状壁１７の内側と当接するが、環状壁１６から離れた円周の一部の周囲に厚みの小さいセクション１９を含む。
【００６２】
コイルバネ１８が調整リング１１７と換気調整スリーブ１１５の内方リム１１５ｂの間で円筒状ハウジング１４内に配置されている。バネ１８は調整リング１７をハウジング１４の環状壁１６に対して付勢し、これにより調整リング１１７の環状壁１７の換気穴２８に対する封止が向上する。
【００６３】
第１の実施態様と同じように換気調整スリーブ１１５は、ユーザーがマウスピース１２を介して吸い込む際に煙流と混ざる喫煙装置１０内に吸引される周囲空気の量を調整するように調節される。換気調整スリーブ１１５の第１の位置において、調整リング１７は換気穴２８の全てを覆って塞ぎ、従って換気スペース２７内の空気は、環状壁１７を通過せず、煙流と混ざらない。調整リング１１７を環状壁１７と接触するように付勢するバネ２０が封止を確実に行う。
【００６４】
第２の位置回転へと換気調整スリーブ１１５を回転させると、プレート１１８および調整リング１１７が移動し、薄くなっているセクション１１９が換気穴２８の１つと合致し、換気穴２８と調整リング１１７との間に隙間が設けられる。換気スペース２７内の空気は、その後１つの露出した換気穴２８を介して環状壁１６を通過し、対応する換気溝２９に沿って通過し、混合チェンバー２６内で煙流と混ざり、第１段階の煙の換気および希釈が行われる。
【００６５】
さらに換気調整スリーブ１１５を第３の位置へと回転させると、プレート１１８および調整リング１１７がさらに移動して、薄くなっているセクション１１９がより多くの換気穴２８と合致し、換気穴２８と調整リング１１７との間にさらに隙間が設けられる。換気スペース２７からの空気は、その後複数の露出した換気穴２８を介して環状壁１７を通過し、対応する換気溝２９に沿って通過し、混合チェンバー２６内で煙流と混ざり、煙をさらに換気、希釈する。
【００６６】
第１の実施態様と同じように煙流内に導入される外部換気空気の度合いは、可変であり、これにより喫煙時の感覚的強度を変えることができる。また第１の実施態様と同じように３つの別個の換気位置のみを示し、説明したが、第２の実施態様はこのような構造に限定することを意図したものではなく、他の数の換気位置を設けてもよく、または迂回換気は、上述のように弓形のスロットを不連続の換気開口部２８の代わりに設けて連続的に変化するようにしてもよい。
【００６７】
図２０〜２３を参照すると第３の実施態様の喫煙装置（図示せず）の風味剤送出調整機構２１１が示されている。このような機構は、先に説明した実施態様のカラー３８内に組み込むことができ、異なる構造であり、凹部６１を有さず、単に管状のエレメントであるマウスピース１２に取り付けることができる。第１および第２の実施態様の喫煙装置１０、１１０の残りの特徴は、変わらないので、ここではその説明は繰り返さない。
【００６８】
調整機構２１１は、中央チェンバー２１５を介して出口２１４と連通する入り口２１３を有するケーシング２１２を含む。出口２１４は、出口２１４の中央軸の周囲に配された複数の封鎖部分２１６を含み、これらの間に複数の経路２１７が画定される。図示の実施態様では３つの経路２１７を画定する３つの封鎖部分２１６があり、それぞれ円形の出口の扇形を形成している。しかしながらこの構成は、単なる例示であり、他の数の経路／封鎖部分をこれとは別に設けてもよい。
【００６９】
アクチュエーター２１８がケーシング２１２に配されており、円筒状のバレル部２１９とこれから延びたレバー２２０を有する。レバーはケーシング２１２のスロット（図示せず）を通って延びている。アクチュエーター２１８は、スロットに沿ったレバー２２０の移動によってケーシング２１２内で回転可能である。バレル２１９は、出口２１４の封鎖部分２１６および経路２１７に対応して形成された複数の扇型の経路２２１を含む。図２０〜２３に示すアクチュエーター２１８は、６つの経路２２１を含むが、別の実施態様では出口２１４の構造に応じてそれより多くても少なくてもよい。アクチュエーター２１８の交互に配置された経路２２１ａは、その内側の面に刺激性材料２２２を含み、残りの経路２２１ｂは、そのような材料を全く含まない。レバー２２０が図２０に示すように「ＯＦＦ」の位置にあるとき、刺激性材がコーティングされた経路２２１ａは封鎖部分２１６と位置合わせされ、刺激性材がコーティングされてない経路２２１ｂは出口２１４の経路２１７と位置合わせされる。従って、入り口２１３から出口２１４へと調整機構を通る流体経路だけが刺激性材料がコーティングされてない経路２２１ｂを通る。反対にレバー２２０が図２１に示すように「ＯＮ」の位置にあるとき、刺激性材料がコーティングされた経路２２１ａは、出口２１４の経路２１７と位置合わせされ、刺激性材料がコーティングされてない経路２２１ｂは封鎖部分２１６と位置合わせされる。従って、ＯＮの位置では、入り口２１３から出口２１４へと調整機構を通る流体経路だけが刺激性材料がコーティングされた経路２２１ａを通る。
【００７０】
使用の際、喫煙装置２１０のユーザーは、ＯＮとＯＦＦの位置の間でレバー２２０を移動させることによって風味付けされていない煙または風味付けされた煙を選択することができる。ＯＦＦの位置では煙流は感覚刺激性材料と接触せずにバレル２１９の経路２２１ｂを通過する。しかしながら、ＯＮの位置では煙流は感覚刺激性材コーティングを含むバレル２１９の経路２２１ａを通過し、よって煙流が刺激性材料２２２上を通過すると風味剤が煙流によって捕捉される。
【００７１】
第３の実施態様のねじれ風味調整機構２１１は、所定の数のタバコロッド１３を喫煙した後または風味の供給が減少した後交換してもよい。交換はハウジング１４のカラー３８を交換することによって行ってもよい。別の構造の喫煙装置では調整機構２１１をカラーではなく、マウスピースに設けてもよく、従って風味調整機構の交換は、上述したようにマウスピースを交換することによって行ってもよい。このような別の実施態様ではコネクターは上述の四分円５６として形成された流れ経路を必要としなくなり、単に中央の環状開口部を含むだけでよい。
【００７２】
第４の実施態様の喫煙装置３１０のマウスピース１２およびカラー３８を図２４に示しているが、第１の実施態様のマウスピース１２および喫煙装置１０と類似しており、同様の特徴を有するものには同じ参照符号を付してある。第１および第４の実施態様の違いの１つは、第４の実施態様のカラー３８が炭素系材料を含むパッド状のフィルターエレメント３１１をさらに含んでいるということであり、このフィルターエレメントは、カラー３８の本体の混合チェンバー２６に四分円の開口部５６への入り口とハウジング１４の第２部分１４ｂの端部との間に配されている。第４の実施態様の喫煙装置３１０は、上述の第１の実施態様と同じように使用されるが、煙流はハウジング１４からマウスピース１２内に移動する際にフィルターエレメント３１１を通過する。フィルターエレメント３１１の炭素材料は、煙流がマウスピース１２に到達する前に煙流の物質をろ過する。風味付けＯＦＦの位置にあるときにカラー３８に対して効果的な密閉を行うマウスピースの上述の技術的利点は、ここでも重要であり、フィルターエレメント３１１および感覚刺激材体６３は、互いに対して封止され、感覚刺激性材または揮発性／芳香性成分が炭素によって吸着されるのを防ぎ、従って無駄を防ぎ、感覚刺激性体の寿命が短くならず、および／または炭素系フィルターエレメント３１１の有効性の減少を妨げるようになっている。
【００７３】
図２５〜２８は第４の実施態様の喫煙装置４１０を示し、これは上述のような可燃性タバコロッド１３を収容するように構成されたコントローラー本体４１１を含む。コントローラー本体４１１は、ハウジング４１４とそのタバコロッド１３の端部と反対の端部に取り付けられたマウスピース４１２とを含む。ハウジング４１４は、ハウジング４１４内でスライド可能であり、タバコロッド１３の端部を収容するように構成されている保持管４１６を含む。保持管４１６は、ハウジング４１４の開口部４１８に収まる歯止め４１７を含む。押しボタン４１９がハウジングに開口部４１８を覆うように設けられており、歯止め４１７を押して開口部４１８の縁部との係合を外して、保持管４１６がハウジング４１４内でスライドできるようにする。バネ４２０がハウジング内に保持管４１６の第１端部と接して配置されており、保持管４１６をハウジング４１４から外れる方向に付勢する。歯止め４１７がバネ４２０の力に抗してハウジング内の格納位置に保持管４１６を保持するように構成されている。
【００７４】
ダクト４２１が保持管４１６の第１端部から延びており、保持管が格納位置にあるとき、ハウジング４１４のダクト４２２に接合する（図２６参照）。
【００７５】
風味調整カートリッジ４２３がマウスピース４１２およびハウジング４１４の端部内に設けられており、中央導管４２４と、この外側を回転可能なカラー４２５とを含む。導管４２４はハウジング４１４のダクト４２２に流体接合されており、これにより保持管４１６のダクト４２１に接合されている。カラー４２５がその軸方向に延びた複数の経路４２６を含む。遮断プレート４２７が導管４２４の外周囲の一部の周りに設けられており、経路４２６の１つが遮断プレート４２７と位置合わせされると、それを通る流路を遮断するように構成されている。
【００７６】
アクチュエーターボタン４２８がマウスピース４１２の側壁のスロット４２９を通ってカラー４２５の外面から突出しており、カラー４２５がスロット４２９に沿ってアクチュエーターボタン４２８をスライドさせることによって第１の位置および第２の位置の間でマウスピース４１２内で回転させることができる。マウスピース４１２の外壁は、換気穴４３０を含み、これを通って周囲空気がマウスピース４１２の風味調整カートリッジ４２３のカラー４２５の後の導管４２４の外周囲の領域内を通過することができる。
【００７７】
経路４２６ａの１つの内壁は、風味剤化合物を含む感覚刺激性材４３１でコーティングしてもよく、これにより空気がコーティングされた経路４２６ａを流れると、空気流が感覚刺激性材４３１上を掃くように移動するので、風味が空気流に付与される。カラー４２５が図２７に示すように第１の位置にあるとき、感覚刺激性材４３１がコーティングされた経路４２６ａは、遮断プレート４２７の後に位置するので、空気流はコーティングされた経路４２６ａを通らない。カラー４２５が図２８に示すように第２の位置にあるとき、コーティングされた経路４２６ａは、遮断プレート４２７から離れるように回転させられるので、そこを空気が流れる。
【００７８】
ユーザーがカラー４２５が第１の位置にある喫煙装置４１０を使用してタバコロッド１３を喫煙する場合、ユーザーがマウスピース４１２から吸い込むと、煙は図２７の矢印Ｓで示すようにタバコロッド１３、保持管４１６のダクト４２１、ハウジング４１４のダクト４２２およびマウスピース４１２の導管４２４を介して引き込まれる。同時に周囲空気が図２７の矢印Ｖで示すように換気穴４３０、カラー４２５の経路４２６を通ってマウスピース４１２内に引き込まれ、そこで換気空気Ｖが煙流Ｓと混ざる。コーティングされた経路４２６ａが遮断プレート４２７と位置合わせされると、換気空気流はその経路を通過できず、風味が換気空気流に付与されない。しかしながら、カラー４２５を第２の位置に移動すると、煙は上述したようにマウスピース４１２内を図２８の矢印Ｓで示すように吸引されるが、換気穴４３０を介して引き込まれる周囲空気は、コーティングされた経路４２６ａは遮断プレート４２７との位置合わせから外れているので、コーティングされた経路３２６ａを通過することができ、従って換気空気流Ｖは、コーティングされた経路４２６ａを通過し、図２８の矢印Ｆで示すように空気流が感覚刺激性材４３１上を掃くように移動すると、風味が換気空気流に付与される。その後、風味付けされた空気流Ｆおよび煙流Ｓはマウスピース４１２内で混ざる。
【００７９】
第５の実施態様の喫煙装置４１０の構造は、煙流Ｓおよび換気空気流Ｖ、Ｆが別々に維持され、ユーザーの口に到達する直前にマウスピース４１２の最終部分でのみ混ざるようになっている。さらに煙流Ｓを迂回する換気空気Ｖだけが感覚刺激性材４３１と接し、従って換気および風味調整機構の種々の調整面は煙流Ｓと接触しない。この構成により換気／風味調整表面に煙流からの沈着物が堆積しなくなり、衛生面からも有利であり、機構の寿命も長くなる。
【００８０】
第４の実施態様の喫煙装置４１０をカラー４２５に１つのコーティングされた経路４２６ａを有すると説明したが、この構造の変形例も想定され、カラー４２５は複数のコーティングされた経路４２６ａを含んでもよい。このような変型例では風味調整カートリッジ４２３は、これに対応する複数の遮断プレート４２７を含み、全てのコーティング経路４２６ａは、カラーの第１の位置で遮断され、カラーの第２の位置で露出し、換気空気流を通過させる。このような構造は、図２０〜２３に示した第４の実施態様の風味調整機構２１１と類似してもよい。
【００８１】
さらにユーザーが換気空気が煙流と混合されることを選択したり、換気空気が風味付けされるまたはされないことを選択するようにできる換気穴４３０を選択的に開閉する機構を含む第５の実施態様の喫煙装置４１０の別の変型例も想定される。
【００８２】
上述の実施態様は、喫煙装置である吸入装置を含み、その吸入剤は装置の胴体内に挿入された燃焼性喫煙材ロッドから発生した煙を含む。しかしながら、本発明は喫煙装置に限定されるものではなく、ユーザーによる吸引のための気体、蒸気またはエアロゾルなどの吸入剤を発生させる電子紙巻きタバコまたは他の装置などの蒸気発生装置のような他の種類の吸入装置であってもよい。このような装置は、タバコを燃焼させずに熱源によってタバコを加熱し、ユーザーによる吸引のための蒸気をタバコから発生させる。このような熱源は、電気加熱エレメントまたは別の手段による熱であってもよい。これとは別にこのような装置は、容器に蓄えられたニコチン液などの液体を加熱して、気体または蒸気の状態の吸入剤を発生させるものでもよい。
【００８３】
タバコを燃焼させずに操作する吸入装置５０１の第６の実施態様を図２９および３０に示すが、これは図１〜１５の第１の実施態様と類似している。換気および風味調整を供するように機能するコントローラー本体１１およびマウスピース１２は同じなので、その説明はここでは省略する。しかしながら、第６の実施態様５０１と第１の実施態様には第６の実施態様の装置５０１が燃焼性タバコロッドを収容するように構成されてなく、吸入装置を介して引き込まれるタバコロッドの燃焼による煙用に設計されていないという違いがある。その代わりに第６の実施態様５０１は、タバコを熱源によって加熱して、装置を介して引き込まれ、ユーザーによって吸い込まれる蒸気相にタバコの構成物質を放出させる装置である。蒸気発生ユニット５０２が胴体１１の第２端部１１ｂに接続されており、タバコ５０５を含むチェンバー５０４を有する円筒状部材５０３と、チェンバー５０４を囲み、チェンバー５０４内のタバコ５０５を加熱するように構成された電気加熱エレメント５０６とを含む。バッテリー５０７などの電源が部材５０３の一端に設けられており、電力を加熱エレメント５０６に供給し、部材５０３の残りの部分から取り外して別に充電してもよい。
【００８４】
入り口オリフィス５０８が部材５０３の一端に設けられており、これはチェンバー５０４と連通して空気をチェンバー５０４内に引き込ませている。部材５０３の反対の端部は、胴体１１の第２端部１１ｂ内に収容され、保持されるように構成された接続部５０９を含む。チェンバー５０４は接続部５０９で開口しており、蒸気発生ユニット５０２が胴体１１に接続されているとき、入り口オリフィス５０８からマウスピース１２へと吸入装置５０１を通る気体流路を画定する。従って空気は、ユーザーがマウスピース１２で吸い込むと、入り口オリフィス５０８を介してチェンバー５０４内にそして胴体１１およびマウスピース１２へと引き込まれる。
【００８５】
圧力センサー５１０がオリフィス５０８に設けられており、空気がチェンバー５０４内に引き込まれているのを検知し、ユニット５０２は、空気がチェンバー５０４内に引き込まれている間、減圧がセンサー５１０によって検知されると加熱エレメント５０６に電気が送られるように構成されている。プロセッサー（図示せず）を部品５０３に設けて圧力センサー５１０からの信号に応答して加熱エレメント５０６の作動を制御してもよい。
【００８６】
使用の際、ユーザーはマウスピース１２を介して吸い込み、入り口オリフィス５０８を介してチェンバー５０４内に空気が引き込まれる。センサー５１０は、入り口オリフィス５０８で減圧を検知し、加熱エレメント５０６に電気が供給され、タバコ５０５を加熱し、タバコ５０５から蒸気相生成物を放出させる。放出された蒸気は、その後チェンバー５０４を出て接続部５０９、胴体１１およびマウスピース１２を通ってユーザーによって吸入される。ユーザーがマウスピースを介した吸い込みを止めると、周囲圧力に戻ったことがセンサー５１０によって検知され、加熱エレメント５０６への電気の供給が停止し、次にユーザーがマウスピースで吸い込みを行うまで、タバコの加熱は行われない。
【００８７】
ユーザーが第６の実施態様の吸入装置５０１を使用する際、ユーザーはマウスピース１２を回転することによって上述の追加の風味付けのオンオフを選択し、また上述したように必要に応じて換気調整スリーブ１７を回転させて蒸気流内への外部環境からの換気空気を取り込む度合いを変化させて蒸気流を希釈および／または冷却してもよい。
【００８８】
蒸気発生ユニット５０２のタバコ源５０５を使い切ると、ユニット５０２を上述の取り出し機構によって胴体から取り外してもよく、または単純に胴体から引き抜いて、新しいユニットと交換してもよい。蒸気発生ユニット５０２の部品５０３部分は、バッテリー５０７の交換とは別にタバコ５０５で完全に満たされた新しいチェンバー５０４を有する新しい部品５０３と交換してもよい。
【００８９】
タバコを燃焼させずに操作する第７の実施態様の吸入装置６０１を図３１および３２に示すが、図２９および３０に示した第６の実施態様と類似している。同様の特徴を有するものには同じ参照符号を付してあり、それについての詳細な説明はここでは省略する。第６の実施態様と同じように第７の実施態様は、燃焼性タバコロッドを収容するように構成されてなく、吸入装置を介して引き込まれるタバコロッドの燃焼による煙用ではない。しかしながら、第７の実施態様６０１と第６の実施態様には第７の実施態様の装置６０１が胴体１１の第２端部１１ｂに接続されている蒸気発生ユニット６０２の構成が異なるという違いがある。ここで、蒸気発生ユニット６０２は、ニコチン液を含むチェンバー６０４およびチェンバー６０４を囲み、チェンバー内の溶液を加熱してニコチンを含む蒸気を発生させるように構成された電気加熱エレメント６０６を有する円筒状部品６０３を含む。バッテリー６０７などの電源が部品６０３の一端に設けられており、電力を加熱エレメント６０６に供給し、部品６０３の残りの部分から取り外して別に充電してもよい。
【００９０】
入り口オリフィス６０８が部品６０３の一端に設けられており、これはチェンバー６０４と連通して空気がチェンバー６０４内に引き込まれるようにする。入り口オリフィス６０８は片道バルブ６１０を含んでもよい。部品６０３の反対の端部は、胴体１１の第２端部１１ｂ内に収容され、保持されるように構成された接続部６０９を含む。接続部６０９は開口端部を含み、発生した蒸気がチェンバー６０４を通過するようにチェンバーは片道バルブ６１１を含んでもよい。これにより蒸気発生ユニット６０２が胴体１１に接続されると、気体の流路が入り口オリフィス６０８からマウスピース１２へと吸入装置６０１を通って画定される。従って、ユーザーがマウスピース１２を通して吸い込むと、空気が入り口オリフィス６０８を介してチェンバー６０４内に引き込まれ、チェンバー６０４、胴体１１およびマウスピース１２を通って流れる。
【００９１】
第６の実施態様と同じように圧力センサー（図示せず）をオリフィス６０８に設けて空気がチェンバー６０４内に引き込まれていることを検知するようにしてもよく、またプロセッサー（図示せず）に接続して、ユーザーがマウスピースを介して吸い込むことによって空気がチェンバー６０４内に引き込まれて、センサーが減圧を検知したときのみに電気が供給されるように加熱エレメント６０６を制御するようにしてもよい。
【００９２】
使用の際、ユーザーはマウスピース１２を介して吸い込み、入り口オリフィス６０８を介してチェンバー６０４内に空気が引き込まれる。加熱エレメント６０６は、電気が供給され、ニコチン液を加熱し、ニコチンを含む蒸気を発生させ、この蒸気は出口バルブ６１１を介してチェンバー６０４から吸い出され、接続部６０９、胴体１１およびマウスピース１２を通ってユーザーによって吸入される。
【００９３】
第７の実施態様の吸入装置６０１の使用の際、ユーザーはマウスピース１２を回転することによって上述の追加の風味付けのオンオフを選択し、また上述したように必要に応じて換気調整スリーブ１７を回転させて蒸気流内への外部環境からの換気空気を取り込む度合いを変化させて蒸気流を希釈および／または冷却してもよい。
【００９４】
蒸気発生ユニット６０２内のニコチン液を使い切ると、ユニット６０２を上述の取り出し機構によって胴体から取り外してもよく、または単純に胴体から引き抜いて、新しいユニットと交換してもよい。新鮮なもので完全に満たされたチェンバー６０４を有する部品６０３にバッテリーとは別に交換してもよい。
【００９５】
第７の実施態様では流れの経路が入り口オリフィス６０８からチェンバー６０４および接続部６０９を通って胴体１１内に延びていると説明したが、別の実施態様では周囲空気が入り口オリフィス６０８から部品６０３内に流れるが、部品６０３内でチェンバー６０４を迂回し、接続部６０９内に続く経路を流れてもよい。チェンバー６０４は片道バルブが設けられた単独の出口開口部を含んでもよく、加熱エレメント６０６によってチェンバー６０４内で液体を加熱することによって発生する蒸気がこの出口開口部を通って、吸入装置の胴体１１を通って引き込まれる前に排出され、周囲空気と混ざる。
【００９６】
上述した第６および第７の実施態様では、吸入剤発生部品は吸入装置の胴体１１に取り外し可能に収容されると説明している。しかしながら、このような吸入剤発生部品を胴体と一体に形成して、装置全体を使用後または吸入剤発生部品を使い切った後に廃棄してもよい。
【００９７】
本明細書中で使用する吸入剤なる用語はユーザーによる吸引に好適な煙、エアロゾル、蒸気または気体を含む。
【００９８】
本明細書を通して用語「風味」及び「風味材料」は、各地の条例で許可されており、成人消費者が望む味や香りを製品に加えるのに用いることができる材料を指す。
【００９９】
種々の問題の対処と技術の発展のため、本開示全体は種々の実施形態を例示的に示しており、これらの実施形態では特許請求された発明が実践され、優れた吸入具および吸入装置を提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【図１】
2016509879.tif 000003
【図２】
2016509879.tif 000004
【図３】
2016509879.tif 000005
【図４】
2016509879.tif 000006
【図５】
2016509879.tif 000007
【図６】
2016509879.tif 000008
【図７】
2016509879.tif 000009
【図８Ａ】
2016509879.tif 000010
【図８Ｂ】
2016509879.tif 000011
【図８Ｃ】
2016509879.tif 000012
【図９】
2016509879.tif 000013
【図１０】
2016509879.tif 000014
【図１１】
2016509879.tif 000015
【図１２】
2016509879.tif 000016
【図１３】
2016509879.tif 000017
【図１４】
2016509879.tif 000018
【図１５】
2016509879.tif 000019
【図１６Ａ】
2016509879.tif 000020
【図１６Ｂ】
2016509879.tif 000021
【図１７】
2016509879.tif 000022
【図１８】
2016509879.tif 000023
【図１９】
2016509879.tif 000024
【図２０】
2016509879.tif 000025
【図２１】
2016509879.tif 000026
【図２２】
2016509879.tif 000027
【図２３】
2016509879.tif 000028
【図２４】
2016509879.tif 000029
【図２５】
2016509879.tif 000030
【図２６】
2016509879.tif 000031
【図２７】
2016509879.tif 000032
【図２８】
2016509879.tif 000033
【図２９】
2016509879.tif 000034
【図３０】
2016509879.tif 000035
【図３１】
2016509879.tif 000036
【図３２】
2016509879.tif 000037
【国際調査報告】
2016509879.tif 000038
2016509879.tif 000039
2016509879.tif 000040